(57)【特許請求の範囲】
【請求項１】
マイクロホンを机などの被取付面に穿設されている被取付孔内に挿通して固定するマイクロホンの取付装置において、
少なくとも上記被取付孔よりも大径に形成され、上記被取付孔の一方の開口部側を閉塞するように上記マイクロホンの外周面に沿って取り付けられる円盤状のフランジ部と、
上記被取付孔の他方の開口部側で、上記マイクロホンの外周面に沿って移動可能なスライドリング部とを含み、
上記フランジ部と上記スライドリング部との間には、上記被取付孔内で上記マイクロホンの外周側に配置され、上記スライドリング部が上記マイクロホンの外周面に沿って移動することにより、上記マイクロホンの軸線方向への伸縮が自在とされている弾性伸縮部が設けられており、
上記弾性伸縮部には、上記マイクロホンの外周面へと圧接される少なくとも１以上の細径部と、上記被取付孔の内周壁へと圧接される少なくとも１以上の太径部とが備えられていることを特徴とするマイクロホンの取付装置。
【請求項２】
上記弾性伸縮部が、上記小径部を谷部とし、上記太径部を山部とする蛇腹形状に形成されていることを特徴とする請求項１に記載のマイクロホンの取付装置。
【請求項３】
上記フランジ部、上記スライドリング部および上記弾性伸縮部のいずれもが防振性ゴムから一体的に形成されていることを特徴とする請求項１または２に記載のマイクロホンの取付装置。
【発明の詳細な説明】
【技術分野】
【０００１】
本発明は、机などの被取付面に穿設された取付孔にマイクロホンを取り付けるためのマイクロホンの取付装置に関し、さらに詳しく言えば、その取付作業を容易に行えるマイクロホンの取付装置に関する。
【背景技術】
【０００２】
マイクロホンを机やテーブルもしくは天井や壁面などの被取付面に取り付けるにあたっては、被取付面に被取付孔を開けて、その被取付孔に専用の取付装置を介してマイクロホンを固定するようにしている。
【０００３】
そのうち、天井や壁面などの被取付面に取り付けられるマイクロホンの取付装置としては、例えば、下記特許文献１にあるように、座談会などに用いられる隠しマイクなどの埋込式マイクロホンを壁面などの被取付面に取り付けるようにした取付装置がある。
【０００４】
また、机やテーブルなどの被取付面に取り付けられるマイクロホンの取付装置としては、例えば、下記特許文献２にあるように、会議などに用いられるグースネック型マイクロホンなどの卓上型マイクロホンを机などの被取付面に取り付けるようにした取付装置がある。
【０００５】
図３には、従来のマイクロホンの取付装置の一例が示されているが、この例では、机などの基台Ｔに穿設された取付孔Ｈにバウンダリーマイクロホンなどの埋込式のマイクロホンＭを固定する例が示されている。
【０００６】
図３に示すように、マイクロホンＭを基台Ｔに固定するにあたっては、テーブルなどの基台Ｔに穿設された取付孔ＨにマイクロホンＭのマイクケースＭ１を挿通し、マイクロホンＭのフロントカバーＭ２のみを基台Ｔから露出するように取り付けられる。
【０００７】
フロントカバーＭ２は取付孔Ｈよりも大径にされ、基台Ｔに対する係止部とされているとともに、マイクケースＭ１の外周面Ｍ３には、図示はされていないが雄ねじが形成され、基台Ｔの裏面側で雄ねじにロックリング（ナット）１を螺合して緊締することにより、マイクロホンＭを基台Ｔに固定するようにしている。
【０００８】
この場合、振動や雑音を防止するため、フロントカバーＭ２と基台Ｔとの間およびロックリング１と基台Ｔとの間に、防振性を有するゴムなどの弾性体からなる円盤状の弾性リング２，３をそれぞれ配設するようにしている。
【先行技術文献】
【特許文献】
【０００９】
【特許文献１】特開２００９−１４７８６０号公報
【特許文献２】特開２００９−０６５４９４号公報
【発明の概要】
【発明が解決しようとする課題】
【００１０】
しかしながら、基台Ｔが例えば大きなテーブル面を有する円卓などで、その中央に取付孔Ｈが穿設されているような場合では、マイクロホンＭを基台Ｔに取り付けるにあたって、テーブルの表面側からマイクロホンＭを押さえる人と、テーブルの裏面側からロックリング２を締め付ける人の２人がかりの作業が必要となる。
【００１１】
また、仮に、基台Ｔの取付孔Ｈが、一人の作業者でも手が届く場所に穿設されている場合であっても、フロントカバーＭ２と基台Ｔとの間およびロックリング１と基台Ｔとの間に弾性リング２，３を介在させてマイクロホンＭを基台Ｔへと取付ける作業は難しく、作業効率が悪いという問題もあった。
【００１２】
したがって、本発明は、上記した課題を解決するため、マイクロホンを被取付面に取り付けるにあたって、被取付面の取付孔の位置にかかわらず、一人の作業員でも容易に取り付け作業が行えるようにしたマイクロホンの取付装置を提供することにある。
【課題を解決するための手段】
【００１３】
上記課題を解決するため、請求項１に記載の発明は、マイクロホンを机などの被取付面に穿設されている被取付孔内に挿通して固定するマイクロホンの取付装置において、少なくとも上記被取付孔よりも大径に形成され、上記被取付孔の一方の開口部側を閉塞するように上記マイクロホンの外周面に沿って取り付けられる円盤状のフランジ部と、上記被取付孔の他方の開口部側で、上記マイクロホンの外周面に沿って移動可能なスライドリング部とを含み、上記フランジ部と上記スライドリング部との間には、上記被取付孔内で上記マイクロホンの外周側に配置され、上記スライドリング部が上記マイクロホンの外周面に沿って移動することにより、上記マイクロホンの軸線方向への伸縮が自在とされている弾性伸縮部が設けられており、上記弾性伸縮部には、上記マイクロホンの外周面へと圧接される少なくとも１以上の細径部と、上記被取付孔の内周壁へと圧接される少なくとも１以上の太径部とが備えられていることを特徴とするマイクロホンの取付装置。
【００１４】
請求項２に記載の発明は、請求項１において、上記弾性伸縮部が、上記小径部を谷部とし、上記太径部を山部とする蛇腹形状に形成されていることを特徴としている。
【００１５】
請求項３に記載の発明は、上記請求項１または２において、上記フランジ部、上記スライドリング部および上記弾性伸縮部のいずれもが防振性ゴムから一体的に形成されていることを特徴としている。
【発明の効果】
【００１６】
本発明によれば、弾性支持部には、マイクロホンの外周面と圧接する細径部と、取付孔の内周壁へと圧接する大径部とを設けるとともに、弾性支持部をガイドリング部のスライド動作により弾性伸縮部がマイクロホンの軸線方向に伸縮するようにしていることから、被取付孔の一方の開口側からフランジ部を介して被取付孔内に挿通し、被取付孔の他方の開口側でスライドリング部を被取付孔と反対方向に引っ張っり、その後に離すという簡単な操作により弾性支持部が被取付孔側に収縮し、これにより、太径部が被取付孔の内周壁側に拡径するとともに、細径部がマイクロホンの外周面側に縮径するため、マイクロホンを被取付孔内で確実に固定することができる。
【００１７】
また、マイクロホンの取付作業は、マイクロホンを被取付孔の一方の開口部側からフランジ部を介して挿通した後に、被取付孔の他方の開口部側でガイドリング部を引っ張ればよく、作業者が一人であっても容易に、かつ、確実に行うことができる。
【図面の簡単な説明】
【００１８】
【図１】本発明に係るマイクロホンの取付装置の取付例を示す示す説明図。
【図２】本発明に係るマイクロホンの取付装置の使用例を示す説明図。
【図３】従来のマイクロホンの取付装置の使用例を示す説明図。
【発明を実施するための形態】
【００１９】
以下、図１および図２を参照して本発明の実施形態について説明する。この取付装置１０は、机やテーブルなどの基台Ｔに固定されるバウンダリーマイクロホンなどの埋込み式マイクロホンを固定するためのもので、この例では、その全体が防振性を有するゴムなどの弾性体から形成されている。
【００２０】
この例において、マイクロホンＭは、金属製の円筒状に形成されたマイクケースＭ１を有し、図示はされていないが、その一端側にはマイクユニットが収納され、その他端側には、マイクユニットからの音声信号出力用のコネクタが備えられている。
【００２１】
また、この例では、マイクケースＭ１の一端側には、マイクケースＭ１より大きな外径を有するフロントカバーＭ２が設けられており、マイクロホンＭは、フロントカバーＭ２を基台Ｔの取付孔Ｈの上部開口Ｈ１から露出させるように取り付けられる。
【００２２】
図１および図２に示すように、このマイクロホン取付装置１０は、取付孔Ｈの上部開口Ｈ１側に配設されるフランジ部２０と、取付孔Ｈ内に配設される弾性伸縮部３０と、取付孔Ｈの下部開口Ｈ２側に配設されるスライドリング部４０とを備えている。
【００２３】
フランジ部２０は、その中央にマイクロホンＭが挿通される挿通孔２１を備え、取付孔Ｈよりも大径に形成された円盤状のベースリング部２２と、ベースリング部２２の外周縁部からほぼ直角に突設されてマイクロホンＭのフロントカバーＭ２を係止する係止リング部２３とが設けられている。
【００２４】
弾性伸縮部３０は、フランジ部２０の挿通孔２１と連通してその内部にマイクロホンＭを収容する挿通スペース３１を有し、後述するスライドリング部４０の移動操作によりマイクロホンＭの軸線方向への伸縮が自在とされている。
【００２５】
また、図１および図２に示すように、弾性伸縮部３０には、マイクケースＭの外周面Ｍ３を圧接する谷部３３と、取付孔Ｈの内周壁Ｈ３を圧接する山部３２とが設けられ、山部３２は、弾性伸縮部３０が収縮したときに、少なくとも取付孔Ｈの内周壁Ｈ３よりも大径となるように設けられている。
【００２６】
スライドリング部４０は、図１および図２に示すように、マイクケースＭが挿通される挿通孔４１を有し、取付孔Ｈの下部開口Ｈ２側でマイクケースＭ１の外周面Ｍ３を圧接するように、マイクロケースＭ１の外周面に沿って配設されている。
【００２７】
スライドリング部４０は、マイクケースＭ１の外周面Ｍ３に沿って移動可能となっており、この移動動作により、弾性伸縮部３０を、その谷部３３をマイクケースＭ１の外周面と接触させた状態で、マイクロホンＭの軸線方向に沿って伸縮できるようになっている。
【００２８】
これによれば、図２（ａ）に示すように、スライドリング部４０をマイクケースＭ２の他端側（矢印Ａ側）に指などで引っ張り移動させると、弾性伸縮部３０も同方向に引っ張られ伸張し、それにともなって、山部３２が縮径するとともに（矢印ａ１方向参照）、谷部３３のマイクケースＭ１に対する圧接力が弱くなる。
【００２９】
そして、上記の引っ張り動作の後、指からスライドリング部を離すと、図２（ｂ）に示すように、引張力に抗してスライドリング部４０がマイクケースＭ１の一端側へと収縮し、それにともなって弾性伸縮部３０も同方向（矢印Ｂ方向）に収縮する。
【００３０】
これにより、山部３２が拡径するとともに（矢印ｂ１方向参照）、谷部３３が縮径する方向に動き（矢印ｂ２方向参照）、山部３２の取付孔Ｈの内周壁Ｈ３に対する圧接力と、谷部３３のマイクケースＭ１の外周面Ｍ３に対する圧接力を強くなる。
【００３１】
なお、この例において、スライドリング部４０は、上記のような引っ張り動作を容易とするため、指でつまみやすいリング幅とされているとともに、滑り止め用としてスリットなどによる段差が形成されている。
【００３２】
次に、この取付装置１０を用いてマイクロホンＭを基台Ｔに固定する一例について説明する。まず、マイクケースＭ１を、その他端側からフランジ部２０の挿通孔２１、弾性伸縮部３０の挿通スペース３１内、そしてスライドリング部４０の挿通孔４１内へと挿通し、マイクロホンＭに取付装置１０を装着させる。
【００３３】
その際、フロントカバーＭ２の外周縁部を係止リング部２３で係止する。また、弾性伸縮部３０は、山部３２が取付孔Ｈ内に挿通される径となるように、あらかじめある程度伸張されている。
【００３４】
次に、取付装置１０が装着されたマイクロホンＭを、フロントカバーＭ２が基台Ｔに穿設された取付孔Ｈの上部開口Ｈ１側に位置するように、マイクケースＭ２の他端部側から取付孔Ｈ内へと挿通する。
【００３５】
そして、図２（ａ）に示すように、取付孔Ｈの下部開口Ｈ２側で、スライドリング部４０を図において下方側（矢印Ａ方向）に引っ張った後に離す。これにより、スライドリング部４０の引張力に抗して弾性伸縮部３０が上方側（矢印Ｂ方向）に収縮する。
【００３６】
そのため、図２（ｂ）に示すように、弾性圧縮部３０の図において上側の山部３２が拡径して（矢印ｂ１方向参照）取付孔Ｈの内周壁Ｈ３を圧接するとともに、図において下側の山部３２が基台Ｔの底面側を圧接することができる。
【００３７】
また、同時に、弾性伸縮部３０の谷部３３が縮径して（矢印ｂ２方向参照）マイクケースＭ１の外周面Ｍ３を圧接することができるため、マイクロホンＭを取付孔Ｈ内に確実に固定することができる。
【００３８】
したがって、マイクロホンＭを基台Ｔに固定するにあたっては、取付孔Ｈの上部開口Ｈ１の側から取付装置１０とともにマイクロホンＭを挿通し、その後、取付孔Ｈの下部開口Ｈ２の側からスライドリング部４０を引っ張るという簡単な作業で済むため、一人の作業員で容易に行うことができる
【００３９】
また、取付装置１０全体が防振性を有するゴムなどの弾性体から形成されているため、従来のように、基台に加えられる振動や衝撃による振動雑音を軽減するための弾性リングなどを介在させる必要がなく、作業性を向上させることができる。
【００４０】
なお、本実施形態では、弾性伸縮部３０を山部３２と谷部３３とで断面視三角形状を呈する蛇腹形状として説明したが、取付孔ＨとマイクロホンケースＭ１とを圧接できる形状であればこれに限られることはない。
【００４１】
例えば、弾性伸縮部３０の山部３２を円周頂点とした曲線状とした蛇腹形状としてもよく、また、弾性伸縮部３０の長さ方向にスリットなどを設けて取付孔ＨやマイクケースＭ２に対する圧接力を調整してもよい。
【００４２】
また、本実施形態では、マイクロホンＭをテーブルなどの基台Ｔに取り付ける例で説明したが、これに限られることはなく、例えば、天井や壁面などに取り付けられるマイクロホンにも用いることができる。
【００４３】
さらに、本実施形態では、マイクロホンＭをテーブルなどの基台に埋め込まれて使用されるバウンダリーマイクロホンを例に説明したが、例えば、グースネック型マイクロホンなどの卓上に使用されるマイクロホンの場合は、回路基板や出力コネクタを有するパワーモジュールなどと呼ばれている円筒部を支持する取付装置としても適用できる。
【符号の説明】
【００４４】
１０  マイクロホン取付装置
２０  フランジ部
２１  挿通孔
２２  ベースリング部
２３  係止リング部
３０  弾性伸縮部
３１  挿通スペース
３２  山部
３３  谷部
４０  スライドリング部
４１  挿通孔
Ｔ  基台
Ｈ  取付孔
Ｈ１  上部開口
Ｈ２  下部開口
Ｈ３  内周壁
Ｍ  マイクロホン
Ｍ１  マイクケース
Ｍ２  フロントカバー
Ｍ３  外周面
【図１】
0005789502.tif 000002
【図２】
0005789502.tif 000003
【図３】
0005789502.tif 000004